(57)【特許請求の範囲】
【請求項１】
冷蔵室(10a)の下部位置に設けた機械室(9)と、前記冷蔵室(10a)の上部に設けた冷却器(11)とを接続する冷媒配管(11a)を、前記冷蔵室(10a)と前記機械室(9)とを仕切る隔壁(40)の前縁に切れ込むように形成したＵ字溝(42)を通して配設する冷蔵ショーケースにおいて、
前記Ｕ字溝(42)に、後方に開放する半円状の凹部(44a)を形成したスペーサ(43,44)が填め込まれ、該スペーサ(43,44)上に、後方に開放するＵ字状溝(50a)が形成された支持部材(50)を配設し、この支持部材(50)に、前記冷媒配管(11a)を前面側から覆う棚柱(14)を立設すると共に、該冷媒配管(11a)を前記Ｕ字溝(42)、凹部(44a)およびＵ字状溝(50a)により画成される通孔に挿通するようにした
ことを特徴とする冷蔵ショーケース。
【請求項２】
前記支持部材(50)には、Ｕ字状溝(50a)を囲むように立ち上がり部(50b)が形成されている請求項１記載の冷蔵ショーケース。
【請求項３】
前記機械室(9)を形成する１対の矩形枠アングル(21,23)に前記冷蔵室(10a)を画成する筐体(10)が載置され、該矩形枠アングル(21,23)における筐体(10)が載置される上腕(21a,22a)の上面前側に、補強用の下ブラケット(23)の板厚だけ一段下げて前部(21b,22b)が形成され、前記下ブラケット(23)は、筐体(10)の手前側から両前部(21b,22b)上に差し込まれて両矩形枠アングル(21,23)の間に掛け渡された状態で、筐体(10)の底板である前記隔壁(40)における前記スペーサ(43,44)の配設位置に対応する下側を左右方向に延在するように配設されている請求項１または２記載の冷蔵ショーケース。
【発明の詳細な説明】
【０００１】
【発明の属する技術分野】
本発明は、冷蔵ショーケースの構造に関し、更に詳細には、組立てが容易で見映えのする冷蔵ショーケースに関するものである。
【０００２】
【従来の技術】
店頭などに設置される冷蔵ショーケースのように、ドアを左右にスライドさせて開閉するスライドショーケースは、天井部分に冷却器を配置し、下部の機械室にコンプレッサ等の機械類を配置するため、その中間の冷蔵室に、冷却器とコンプレッサとを接続する冷媒用配管を通す必要がある。また、冷却器の近傍に設けるファンモータへの電気配線なども、機械室から冷蔵室を通して天井まで引き回す必要がある。
【０００３】
スライドショーケースは、冷蔵室前面に設けられるスライドドアが全面ガラス張りとなるため、冷蔵室内部に冷媒配管や配線などが露出すると、商品の陳列の見映えを悪くしてしまう。このため、従来は、冷蔵室内に通さざるを得ない冷媒配管や配線等は、客の目になるべく届かないように、冷蔵室の奥側隅に配置するようにしている。
【０００４】
【発明が解決しようとする課題】
しかしながら、冷媒配管や配線などを冷蔵室の奥側隅に配置する構成では、その組付けが煩雑となる問題がある。
【０００５】
【発明の目的】
本発明は、従来の技術に係る冷蔵ショーケースに内在している前記欠点に鑑み、これを好適に解決するべく提案されたものであって、冷蔵室内の冷媒配管などが露出しないようにし、また冷媒配管などの組付けが容易な冷蔵ショーケースを提供することを目的とする。
【０００６】
【課題を解決するための手段】
前記した課題を解決し、所期の目的を好適に達成するため、本発明に係る冷蔵ショーケースは、
冷蔵室の下部位置に設けた機械室と、前記冷蔵室の上部に設けた冷却器とを接続する冷媒配管を、前記冷蔵室と前記機械室とを仕切る隔壁の前縁に切れ込むように形成したＵ字溝を通して配設する冷蔵ショーケースにおいて、
前記Ｕ字溝に、後方に開放する半円状の凹部を形成したスペーサが填め込まれ、該スペーサ上に、後方に開放するＵ字状溝が形成された支持部材を配設し、この支持部材に、前記冷媒配管を前面側から覆う棚柱を立設すると共に、該冷媒配管を前記Ｕ字溝、凹部およびＵ字状溝により画成される通孔に挿通するようにしたことを特徴とする。
【０００７】
【発明の実施の形態】
次に、本発明に係る冷蔵ショーケースにつき、好適な実施例を挙げて、添付図面を参照しながら以下説明する。
【０００８】
図１は、本発明の一実施形態に係る冷蔵ショーケースの正面図である。この冷蔵ショーケース１は、その開口部に、左右にスライド自在な左ドア２および右ドア３を備える。各ドア２,３はガラス張りとなっており、夫々閉められた状態では、冷蔵ショーケース１の中央で右ドア３の後端側(図１の左側)のドア枠３ａが、左ドア２の後端側(図１の右側)のドア２ａに重なり合うようになっている。
【０００９】
図２は、図１に示す冷蔵ショーケースの要部分解図である。この冷蔵ショーケース１は、筺体１０と、この筺体１０の天井部分に取り付けられる冷却器１１およびこの冷却器１１の下側を覆って冷蔵室１０ａ(筺体１０の内部空間)とを画成するダクト１２と、冷蔵室１０ａ内に設置される棚網(１段のみ図示)１３と、冷蔵室１０ａ内に立設されて棚網１３を支持する棚柱１４と、左ドア２および右ドア３と、両ドア２,３の上レール１５および下レール１６と、冷却器１１の前面を覆うフロント上パネル１７とを備える。筺体１０の左右両側面の内壁前部にはサイドレール１８,１９(１８は左側、１９は右側)が取り付けられており、ドア２,３の先端縁がサイドレール１８,１９に嵌合することで、該ドア２,３により冷蔵室１０ａが閉められるようになっている。
【００１０】
前記筺体１０の下部には、機械室９が取り付けられる。この機械室９は、底板２０と、底板２０の左右両側に夫々取り付けられた矩形枠アングル２１,２２と、両矩形枠アングル２１,２２間に渡される補強用のブラケット２３と、底板２０上に載置されるコンプレッサ等の機械類２４と、底板２０の四隅下部に取り付けられる足部材２５と、底板２０の下側に出し入れ可能に装着されるドレン受皿２６と、前記冷蔵室１０ａから下レール１６に流れ出た結露水をドレン受皿２６に排出する排水ホース２７と、この機械室９の両サイドを覆うサイドパネル２８,２９と、背面を覆うリアパネル３０と、前面を覆うフロント下パネル３１とを備える。
【００１１】
前記棚柱１４は、冷蔵室１０ａと機械室９とを仕切る筺体１０の底板(隔壁)４０上に立設される。この棚柱１４は、ドア２,３が閉じられたとき両ドア２,３の重なるドア枠２ａ,３ａによって隠れる死角位置に立設される。また棚柱１４は、断面がコの字状となるように板金を屈曲して構成され、コの字状の開口部が冷蔵室１０ａの背面を向く方向に取り付けられる。そして、棚柱１４の前面には長手方向(上下方向)に沿って図示しない照明用の蛍光灯が取り付けられると共に、コの字状の内部には、後述するように冷凍配管１１ａや電気配線４６が挿通される。
【００１２】
前記冷却器１１を覆うダクト１２には、図２に示す如く、中央前部に凹部１２ａが設けられており、この凹部１２ａを通して棚柱１４の上端は筺体１０の天井板４１内面に達し、ここにネジ止めされる。また冷却器１１から導出する冷媒配管１１ａおよびダクト１２に取り付けられた図示しないファンモータの電気配線４６(図３に図示)は、この凹部１２ａからダクト１２外に引き出され、棚柱１４のコ字状の内部を通って機械室９まで引き回される(図５参照)。
【００１３】
前記筐体１０の底板４０には、前縁から背面側に向かって切れ込まれたＵ字溝４２が設けられており、棚柱１４内を挿通してきた冷媒配管１１ａおよび電気配線４６は、このＵ字溝４２から機械室９内に引き込まれる。Ｕ字溝４２には、前面側の第１スペーサ４３および背面側の第２スペーサ４４が填め込まれるようになっている。第１スペーサ４３と第２スペーサ４４とは、図２に示す如く、その対向面に夫々半円状の凹部が形成されており、両凹部が接合されることで略円形の通孔４５が形成され、この通孔４５に、下レール１６の後述するドレン管１６ａが挿通される。第２スペーサ４４の他端側(背面側)にも半円状の凹部４４ａが形成されており、この凹部４４ａと、Ｕ字溝４２における端部の半円形状とが接合して略円形の通孔が形成され、この通孔に、冷媒配管１１ａと電気配線４６とが通されて機械室９内に引き込まれるようになっている。
【００１４】
前記Ｕ字溝４２端部に冷媒配管１１ａおよび電気配線４６を通した後、第２スペーサ４４をＵ字溝４２内に入れて冷媒配管１１ａおよび電気配線４６を固定するが、このとき、棚柱１４の下端を底板４０および第２スペーサ４４の上端面に直接立てるのではなく、支持部材としての上ブラケット５０を間に介挿させている。
【００１５】
図３は、前記上ブラケット５０上に棚柱１４を載せた所を上方から見た図である。この上ブラケット５０は、冷蔵室１０ａ背面側に開口するＵ字状溝５０ａを有し、このＵ字状溝５０ａを囲むように立ち上がり部(図５の５０ｂ)が形成されている。このため、Ｕ字状溝５０ａ内に冷媒配管１１ａを納めたとき、冷媒配管１１ａは所定の位置に位置決めされ、また該立ち上がり部５０ｂにより水漏れを防止するようになっている。また、冷媒配管１１ａと一緒に電気配線４６もこのＵ字状溝５０ａ内に納められる。上ブラケット５０のＵ字状溝５０ａ側の端部は、棚柱１４の下端のネジ止め用フランジ１４ａ,１４ｂと同一形状に形成されており、ここに棚柱１４がネジ止めされる。上ブラケット５０の他端５０ｃは下レール１６の下まで延出形成されており、下レール１６が他端５０ｃの上に載置されることで、上ブラケット５０は固定される。なお、下レール１６の底板４０との間の隙間や、上ブラケット５０と底板４０との間の隙間は、シール材５１でコーキングされる。
【００１６】
図２において、筺体１０の底板４０にＵ字溝４２を設けたことで、底板４０の強度はＵ字溝４２を設けていない場合に比べて低下する。このため、本実施形態では、底板４０の下側に金属製の下ブラケット２３を取り付けることで、補強してある。この下ブラケット２３は、機械室９を形成すると共に筺体１０を載置する両矩形枠アングル２１,２２の間に架け渡される。この矩形枠アングル２１,２２は、筺体１０を安定に載置するために、その上腕２１ａ,２２ａは平面でなければならない。このため、下ブラケット２３を架け渡す部分となる前部２１ｂ,２２ｂを下ブラケット２３の板厚だけ一段下げた構成とされている。
【００１７】
図４(ａ)は下ブラケット２３の上面図であり、図４(ｂ)は図４(ａ)のＢ―Ｂ線矢視図(正面図)である。この下ブラケット２３は、丁度中央部分が後述する下レール１６のドレン管１６ａと干渉するため、中央にドレン管１６ａの挿通孔２３ａが穿設されている。また、両端近くの背面側には切り欠き２３ｂ,２３ｃが形成される。この切り欠き２３ｂ,２３ｃは、矩形枠アングル２１,２２の前部２１ｂ,２２ｂに設けられているネジ孔２１ｃ,２２ｃに整列する位置となっており、ネジ８０(図５参照)がネジ孔２１ｃ,２２ｃを通して前記底板４０の底面に締着されたとき、下ブラケット２３も共締めされるようになっている。
【００１８】
また、下ブラケット２３の手前側は、長手方向に沿って下側に折り曲げられており、この折曲部２３ｄが、矩形枠アングル２１,２２の前腕２１ｄ,２２ｄに当接することで、下ブラケット２３が位置決めされる。折曲部２３ｄの左右両端近傍には夫々ネジ孔２３ｅ,２３ｆが設けられており、図示しないネジによって矩形枠アングル２１,２２の前腕２１ｄ,２２ｄにネジ止めされる。また折曲部２３ｄの中央には、２つのネジ孔２３ｇ,２３ｈが設けられている。このネジ孔２３ｇ,２３ｈについては後述する。なお、下ブラケット２３の背前側は、長手方向に沿って下側に折り曲げられているが、この折曲部の長手方向両端部は、矩形枠アングル２１,２２の前腕２１ｄ,２２ｄの巾分だけ切欠かれている。
【００１９】
図５は、図３のＶ―Ｖ線断面図である。前記筺体１０は、矩形枠アングル２１,２２上に載置され、該矩形枠アングル２１,２２は、機械室９の底板２０を介して足部２５によって支えられている。筺体１０の底板４０に形成された前記Ｕ字溝４２と第２スペーサ４４との間に形成された通孔に、前述したように冷媒配管１１ａが挿通されている。冷媒配管１１ａの周りを前側から包囲する棚柱１４は底板４０上に置かれた上ブラケット５０上に立設されて、該棚柱１４が直に底板４０に接触しないよう構成されている。下レール１６のドレン管１６ａは、第１スペーサ４４と第２スペーサ４３との間に形成された通孔４５に通され、更に排水ホース２７が接続されることで、冷蔵室１０ａから下レール１６に漏出した結露水がドレン受皿２６にドレンされるようになっている。
【００２０】
図６は、下レール１６のドレン管１６ａ部分の拡大断面図である。下レール１６の長手方向中央部分において、冷蔵室１０ａに近い左ドア用レールの下部に孔１６ｂが穿孔されており、この孔１６ｂにドレン管１６ａの先端部分が螺着されている。このドレン管１６ａは、下レール１６に冷蔵室１０ａから漏出してきた結露水をドレン受皿２６にドレンするためのものであり、このドレン管１６ａに排水ホース２７が接続される。
【００２１】
図２に示す如く、排水ホース２７は、機械室９における底板２０の前縁中央部分に設けられたドレン孔２０ａに挿通される。この排水ホース２７は、底板２０と前記下ブラケット２３との間に立設された補強板３３によって保護される。
【００２２】
図７は、補強板３３を示す図であり、(ａ)は上端面図、(ｂ)は正面図、(ｃ)は側面図、(ｄ)は下端面図、(ｅ)は図７(ｂ)のＥ―Ｅ線断面図である。この補強板３３の本体は、上下方向に長手の板材３３ａの左右が、図７(ｅ)に示されるように、手前側に夫々直角に屈曲され、左屈曲面３３ｂと右屈曲面３３ｃが形成されている。すなわち、補強板３３の横断面はコの字形になっている。そして、コの字の内部に排水ホース２７が保護され、板材３３ａが、排水ホース２７とその背面側に設けられる冷媒配管１１ａや機械類２４とを仕切るよう構成してある。
【００２３】
前記補強板３３の板材３３ａは、その上端において手前側に直角に屈曲されて上端面３３ｄが形成され、その略中央に排水ホース２７の挿通孔３３ｅが穿孔されている。この上端面３３ｄは、左屈曲面３３ｂと右屈曲面３３ｃとの間の巾より巾広になっており、両屈曲面３３ｂ,３３ｃの上端によって支持されるようになっている。この上端面３３ｄの先端側(手前側)は更に下側に直角に折れ曲がって折曲面３３ｆが形成されており、この折曲面３３ｆにネジ孔３３ｇ,３３ｈが穿設されている。
【００２４】
前記板材３３ａの下端も手前側に直角に屈曲されて下端面３３ｉが形成され、その略中央に、排水ホース２７の挿通孔３３ｊが穿孔されている。屈曲面３３ｂ,３３ｃの下端は、夫々下端面３３ｉと同一面となるように外側に屈曲されて、フランジ面３３ｋ,３３ｍが形成される。下端面３３ｉの先端側(手前側)は更に下側に直角に折れ曲がって折曲面３３ｎが形成され、この折曲面３３ｎにネジ孔３３ｐが穿設してある。
【００２５】
上述した構成の補強板３３は、機械室９の前側開口に取り付けられる。すなわち、排水ホース２７を挿通孔３３ｅに通し、上端面３３ｄを下ブラケット２３の下面に挿入して面接触させ、下端面３３ｉを底板２０上に載せて面接触させる(同時にフランジ面３３ｋ,３３ｍも底板２０上面に面接触状態となる)。そして、下ブラケット２３のネジ孔２３ｇ,２３ｈと、補強板３３の上側のネジ孔３３ｇ,３３ｈとを整列させるように位置決めして図示しないネジでネジ止めし、補強板３３の下側のネジ孔３３ｐを、底板２０の前端面に図示しないネジでネジ止めする。そして、排水ホース２７を挿通孔３３ｊに通し、下レール１６の結露水をドレン受皿２６にドレンさせるようにする。
【００２６】
図８は、筺体１０の正面図であり、図９は、図８のＩＸ―ＩＸ線断面図である。また図１０は、筺体１０を側面から見たときの組立図であり、図１１は、筐体１０を上面から見たときの組立図である。図１２は図８のＸＩＩ―ＸＩＩ線断面図であり、図１３は図１２のＸＩＩＩ―ＸＩＩＩ線断面図である。
【００２７】
前記筺体１０は、冷蔵室１０ａを構成する内装(内箱)６０と、この内装６０を内部に収納する外装(外箱)７０とからなり、内装６０を収納した外装７０の背面をリアパネル７４で覆蓋した後、内装６０と外装７０との間に発泡材を充填することで、断熱筺体とされる。発泡材を充填するとき、内装６０と外装７０との間に隙間が生じていると、発泡材が外部に漏出して見映えが悪くなるため、本実施形態では様々工夫を施し、後述するように、外装７０に内装６０を組付ける時、隙間が生じない構成としている。
【００２８】
前記内装６０は、両側のサイドパネル６１,６１と、ボトムパネル６２と、トップパネル６３と、リアパネル６４により組立てられる。各サイドパネル６１の先端縁はヘミング加工部６１ａとなっており、ボトムパネル６２やトップパネル６３の先端縁もヘミング加工部６２ａ,６３ａとなっている。ヘミング加工部６１ａは、トップパネル６３やボトムパネル６２のヘミング加工部６３ａ,６２ａより後退した位置になっており、これは、サイドレール１８(１９)を取り付けるためのスペースを形成している。ボトムパネル６２の両サイドには、ボトムパネル６２より一段高いフランジ部６２ｂが設けられており、このフランジ部６２の先端は、ヘミング加工部６２ａより若干後退した位置となっている。このフランジ部６２ｂは、後述する下レール１６の取り付け用の隙間を形成すると同時に、冷蔵室１０ａ内の結露水の両サイド方向への流れを阻止する機能も有する。
【００２９】
前記外装７０は、ボトムパネル７１と、両側のサイドパネル７２,７２と、トップパネル７３、リアパネル７４により組立てられる。各パネル７１,７２,７２,７３の前面側は、冷蔵室１０ａ側に屈曲された縁部７１ａ,７２ａ,７３ａを有し、その縁の厚さが断熱壁の厚さとなる。ボトムパネル７１に両サイドパネル７２が組付けられた状態(トップパネル７３およびリアパネル７４はこの段階ではまだ組付けていない)の外装７０の下面四隅の前側左右には、夫々断熱材で構成されたＬ字形の若干長手のスペーサ７５が置かれ、同様に後側左右にも断熱材で構成されたＬ字形のスペーサ７６が置かれる。また、外装７０の下面前縁の中央には、Ｕ字金具７７(図１１参照)が置かれる。このＵ字金具７６は、前述したＵ字状溝４２を形成するものであり、内装６０のボトムパネル６２には、このＵ字状溝４２を構成する切り欠きが設けられている。また、ボトムパネル７１の後部には、図５に示すように、補強用ブラケット７８がスポット溶接され、該ブラケット７８に前記矩形枠アングル２１,２２を固定するためのネジ７９が螺挿されるようになっている。更に、ボトムパネル７１の前部にも図示しない補強用ブラケットがスポット溶接され、該ブラケットに同じく矩形枠アングル２１,２２を固定するためのネジ８０が螺挿されている。
【００３０】
その後、内装６０を外装７０内に図１０および図１１の矢印Ｘ方向に入れ、内装６０を、スペーサ７５,７６やＵ字金具７７で位置決めする。次に、サイドレール１８,１９を、手前から矢印Ｙ方向に入れる。このとき、内装６０のサイドパネル６１のヘミング加工部６１ａが、図１２に示すように、サイドレール１９(１８)に設けられた係止部１９ｂ(１８ｂ)に係止され、かつサイドレール１８,１９のフロントのＬアングル部１８ａ,１９ａが、外装サイドパネル７２の前端面７２ａに当接するまで挿入する。これにより、外装サイドパネル７２の内面側における内装６０で覆われていない大部分がサイドレール１８,１９によって閉塞される。
【００３１】
前記サイドレール１９(１８)は、図１３に示すように、ボトムパネル６２よりも一段高いフランジ部６２ｂ上に載置されるため、ボトムパネル６２の先端側において、ボトムパネル６２とサイドレール１９の下端面との間に若干の隙間が形成される。この隙間の下側に、先ず、ジョイナ８２が挿入され、このジョイナ８２の手前側の長手方向に延びる屈曲面８２ａがボトムパネル６２のヘミング加工部６２ａに当接して止まる。これにより、内装ボトムパネル６２と外装ボトムパネル７１の前端の縁部７１ａとの隙間が閉塞される。しかし、ジョイナ８２の両端において、ジョイナ８２表面とサイドレール１９(１８)の下端面との間に若干の隙間(下レール取り付け用の隙間)が残ることになる。
【００３２】
次に、同様にして、内装トップパネル６３に、その前端縁に沿ってジョイナ８３を挿入する。下側のジョイナ８２は、Ｕ字状溝４２を避けるために左右２枚に分割されているが、上側のジョイナ８３は、一枚構成である。なお、サイドレール１８,１９の上端部分と、ジョイナ８３,内装トップパネル６３との間の隙間は、容易に指先が入るため(まだ、トップパネル７３は付けていないため)簡単に目張りが可能である。
【００３３】
その後、外装トップパネル７３と外装リアパネル７４を取り付けることで、外装７０と内装６０との間の空間(断熱壁の空間)は密閉され(前述した下レール取り付け用の隙間は残る)、この断熱壁の空間に発泡材を充填する。そして、下レール１６の左右の水平部１６ｃが下レール取り付け用の隙間に差し込まれる。この隙間からは発泡材が洩れて汚れることもあるが、下レール１６の左右の水平部１６ｃは、その前面に位置する下レール１６の垂直部１６ｄによって完全に覆われてしまう構成のため、下レール１６を筺体１０に取り付けた状態では、前記の汚れは下レール１６の垂直部１６ｄによって覆い隠されてしまい、見映えが悪くなることはない。
【００３４】
【実施例の作用】
次に、前述した構成に係る本実施形態の冷蔵ショーケースの作用について説明する。
【００３５】
本実施形態の冷蔵ショーケース１を組立てる場合、先ず、上述したようにして筺体１０を組立てる。この筐体１０の組立て時において、サイドレール１８,１９やジョイナ８２,８３は、外装７０内に内装６０を設置した後に取り付けるようになっているが、サイドレール１８,１９やジョイナ８２,８３と内装ボトムパネル６２との間のつなぎ目は、ずれることなく、またスペーサ７５,７６によって確実に塞がれる。
【００３６】
筺体１０の本体発泡後、下レール１６を取り付ける前に、筺体１０の下部(補強用ブラケット７８)にネジ７９,８０を介して矩形枠アングル２１,２２を取り付ける。矩形枠アングル２１,２２には、ネジ孔２１ｃ,２１ｅ,２２ｃ,２２ｅが設けられているが、これらのネジ孔２１ｃ,２１ｅ,２２ｃ,２２ｅはダルマ穴であるため、大穴にネジ７９,８０の頭部を差し込み、ネジ７９,８０が小穴に臨む方向にアングル２１,２２を移動させ、先ずは背面側のネジ７９を締め付けることで、矩形枠アングル２１,２２を筺体１０の下部に取り付ける。これにより、筺体１０下部の機械室９が造られる。
【００３７】
機械室９ができた後は、この筺体１０を立てる。そして、機械室９内にコンプレッサなどの機械類を取り付けると共に、筺体１０の天井に冷却器１１を設置し、このとき両者を結ぶ冷媒配管１１ａをＵ字溝４２の前縁からＵ字溝４２内に挿入する。また、ダクト１２に設置したファンモータの電気配線４６も同様にＵ字溝４２を通して機械室９内の電源に接続する。
【００３８】
その後、Ｕ字溝４２を第２スペーサ４４で閉塞し、次に第２スペーサ４３で閉塞する。また、前記下ブラケット２３を筺体１０下部の矩形枠アングル２１,２２の前部２１ｂ,２２ｂ上に差し込む。下ブラケット２３の両端には切り欠き２３ｂ,２３ｃが設けられているため、ネジ８０部分を切り欠き２３ｂ,２３ｃが挟み込み、折曲部２３ｄは矩形枠アングル２１,２２の前腕２１ｄ,２２ｄに当接する。この状態で、前面側のネジ８０を締め付けると共に、下ブラケット２３の折曲部２３ｄの両端にあるネジ孔２３ｅ,２３ｆを通して図示しないネジを前腕２１ｄ,２２ｄに締着する。このように、本実施形態の冷蔵ショーケース１では、補強用の下ブラケット２３を手前側から後付することができる。この下ブラケット２３は、筺体１０の底部の補強の他、スペーサ４３,４４の外れ防止としても機能する。
【００３９】
次に、筺体１０のスペーサ４３,４４上部に、上ブラケット５０を載置する。上ブラケット５０のＵ字状溝５０ａ内にＵ字溝４２から出ている冷媒配管１１ａと電気配線４６を入れることで位置決めされる。そして、上ブラケット５０の上に、棚柱１４を立設して棚柱１４内部に冷媒配管１１ａと電気配線４６を収納する。このように、上ブラケット５０でスペーサ４３,４４を抑えると共に、上ブラケット５０上に棚柱１４を立設することで、棚柱１４によって底面４０が直接傷付けられることがなくなり、見映えが良くなる。また上ブラケット５０の外形と棚柱１４の外形とを略同一としたことで、更に良好な見映えが得られる。
【００４０】
次に、左右のドア２,３や上レール１５,下レール１６を筺体１０に取り付ける。下レール１６は、水平部１６ｃをサイドレール１８,１９の下にできている隙間に差し込むことで取り付ける。このとき、下レール１６が上ブラケット５０の端部５０ｃを上から押えるようにして、上ブラケット５０を固定する。そして、下ブラケット２３の挿通孔２３ａの下から排水ホース２７を挿入し、下レール１６の前記該ドレン管１６ａに該排水ホース２７を装着する。
【００４１】
次に、補強板３３の上端面３３ｄに設けられている挿通孔３３ｅに排水ホース２７を通し、上端面３３ｄを下ブラケット２３の下面に当接させ、ネジ孔３３ｇ,３３ｈを下ブラケット２３側のネジ孔２３ｇ,２３ｈに整列させる。また、下端面３３ｉを底板２０上面に載せてネジ孔３３ｐを底板２０の前端面に押し付ける。そして、補強板３３を下ブラケット２３と底板２０間にネジ止めすることで、下ブラケット２３を補強板３３で支持し補強する。排水ホース２７は、挿通孔３３ｊを通すことで、ドレン受皿２６にドレン可能とする。組立ての最後には、上ブラケット５０と冷蔵室１０ａ底面との隙間や、下レール１６と冷蔵室１０ａ底面との隙間をコーキングすることで、結露水の機械室９への進入を防止する。
【００４２】
このように、本実施形態では、冷媒配管１１ａの取り付けを筺体１０の手前側からできるようにＵ字溝４２を筺体１０の底面に形成し、この底面を補強するための補強用の下ブラケット２３や補強板３３を手前側から差し込むことで後付け可能としたため、冷蔵ショーケース１の組立性が高くなるという利点がある。また、冷蔵室内を通る冷媒配管１１ａなどを棚柱１４で隠すことができるため、庫内の見映えが優れると共に、筺体１０の組立てに際して生じる隙間を極力なくす構成としたため、コーキングが少なくなり、冷蔵ショーケース１の全体的な見映えも良くなる。
【００４３】
また、本実施形態では、スペーサ４３,４４の上に設ける上ブラケット５０と下に設ける下ブラケット２３とにより、スペーサ４３,４４が外れるのを防止可能なため、組立て性能を向上させるために設けた大きなＵ字溝４２をスペーサ４３,４４で好適に覆い、少ないコーキングによって結露水の機械室９内への進入を阻止可能になる。また、上ブラケット５０の上に棚柱１４を立設する構成としたため、冷蔵室１０ａの底面が傷つかず、見映えも向上する。
【００４４】
【発明の効果】
以上に説明した如く、本発明に係る冷蔵ショーケースでは、冷蔵室と機械室とを仕切る隔壁に、冷媒配管を通すＵ字溝を形成したから、冷媒配管の組立性が高くなるという利点を有する。また、冷蔵室内を通る冷媒配管を棚柱で隠すことができるため、庫内の見映えが優れる。更には、Ｕ字溝を覆う支持部材に棚柱を立設したから、棚柱により隔壁が傷付くのを防止することができる。
支持部材に、Ｕ字状溝を囲むように立ち上がり部を形成したので、冷媒配管の位置決めを行なうことができると共に水漏れを防止することが可能となる。
またスペーサは、支持部材および下ブラケットにより支持されるので、Ｕ字溝からスペーサが外れるのを防止できる。更に、下ブラケットを手前側から矩形枠アングルの前部上に差し込むことで配設し得るので、組立性を向上でき、下ブラケットを後付けすることが可能となる。
【図面の簡単な説明】
【図１】  本発明の一実施形態に係る冷蔵ショーケースの正面図である。
【図２】  図１に示す冷蔵ショーケースの要部分解図である。
【図３】  図２に示す冷蔵ショーケースで棚柱を冷蔵室内で立設した所を上方から見た図である。
【図４】  図２に示す筺体の下面を補強する下ブラケットの上面図(ａ)と正面図(ｂ)である。
【図５】  図３のＶ―Ｖ線断面図である。
【図６】  図５に示す下レールの拡大断面図である。
【図７】  図２に示す排水ホース位置に取り付けられる補強板の上端面図(ａ)と正面図(ｂ)と側面図(ｃ)と下端面図(ｄ)と横断面図(ｅ)である。
【図８】  図２に示す筺体の正面図である。
【図９】  図８のＩＸ―ＩＸ線断面図である。
【図１０】  図８に示す筺体を側面から見た組立図である。
【図１１】  図１０に示す筺体を上面から見た組立図である。
【図１２】  図８のＸＩＩ―ＸＩＩ線断面図である。
【図１３】  図１２のＸＩＩＩ―ＸＩＩＩ線断面図である。
【符号の説明】
９ 機械室，１０ 筐体，１０ａ 冷蔵室，１１ 冷却器，１１ａ 冷媒配管
２１,２３ 矩形枠アングル，２１ａ,２２ａ 上腕，２１ｂ,２２ｂ 前部
２３ 下ブラケット，４０ 底板(隔壁)，４２ Ｕ字溝，４３ 第１スペーサ
４４ 第２スペーサ，４４ａ 凹部，５０ 上ブラケット(支持部材)
５０ａ Ｕ字状溝，５０ｂ 立ち上がり部
【図１】
0003936565.tif 000002
【図２】
0003936565.tif 000003
【図３】
0003936565.tif 000004
【図４】
0003936565.tif 000005
【図５】
0003936565.tif 000006
【図６】
0003936565.tif 000007
【図７】
0003936565.tif 000008
【図８】
0003936565.tif 000009
【図９】
0003936565.tif 000010
【図１０】
0003936565.tif 000011
【図１１】
0003936565.tif 000012
【図１２】
0003936565.tif 000013
【図１３】
0003936565.tif 000014